(57)【要約】【課題】使用時において、印刷による視覚的効果が得られる。【解決手段】本発明は、ボトル１と、キャップ２と、を備える。ボトル１は、底部１０と、胴部１１と、首部１２と、肩部１３と、印刷部１４と、を有する。肩部１３の外側の壁面のうち、キャップ２が首部１２に装着された時に、キャップ２により覆われる箇所１７であって、容器の使用時において、首部１２（口１５）の上方からの視野の範囲内に入る箇所１７に、印刷部１４を施す。この結果、本発明は、使用時において、印刷による視覚的効果が得られる。【選択図】        図１
2019051966.tif 000002
【特許請求の範囲】
【請求項１】
ボトルと、キャップと、を備え、
前記ボトルは、
一端部に底部を有し、中に内容物が充填される胴部と、
前記胴部の他端部に配置されていて、内容物が出る口を有し、前記キャップが着脱可能に装着される首部と、
前記胴部と前記首部との間に配置されている肩部と、
印刷部と、
を有し、
前記肩部の外側の壁面には、前記キャップが前記首部に装着された時に、前記キャップにより覆われる箇所があり、
前記印刷部は、前記箇所に施されている、
ことを特徴とする容器。
【請求項２】
前記印刷部は、文字情報の印刷物である、
ことを特徴とする請求項１に記載の容器。
【請求項３】
前記キャップは、光不透過性の部材からなる、
ことを特徴とする請求項１または２に記載の容器。
【請求項４】
前記印刷部は、加飾の印刷物であり、
前記キャップは、光透過性の部材からなる、
ことを特徴とする請求項１に記載の容器。
【請求項５】
前記印刷部は、熱乾燥タイプのインキにより印刷されている、
ことを特徴とする請求項１〜４のいずれか１項に記載の容器。
【請求項６】
前記胴部の外側の壁面、前記箇所以外の前記肩部の外側の壁面の少なくともいずれか一方には、前記箇所の前記印刷部と連動したデザインの印刷部が施されている、
ことを特徴とする請求項１〜５のいずれか１項に記載の容器。
【請求項７】
前記肩部の壁面は、前記胴部の中心線、前記首部の中心線の少なくともいずれか一方に対して垂直である、
ことを特徴とする請求項１〜６のいずれか１項に記載の容器。
【請求項８】
第１工程と、第２工程と、第３工程と、を含む容器のボトルの製造方法であって、
前記第１工程は、
射出成型により、閉塞されている一端部と、開口されていて、キャップが着脱可能に装着される他端部と、を有するプリフォームを成型する、
工程であり、
前記第２工程は、
前記プリフォームの前記他端部から前記一端部側の所定箇所の外側の壁面に印刷部を施す、
工程であり、
前記第３工程は、
前記プリフォームを、延伸ブロー成型により、一端部に底部を有し、中に内容物が充填される胴部と、前記胴部の他端部に配置されていて、内容物が出る口を有し、キャップが着脱可能に装着される首部と、前記胴部と前記首部との間に配置されている肩部と、前記印刷部と、を有するボトルとして成型する、
工程であり、
前記第２工程における前記プリフォームの前記所定箇所は、前記第３工程により成型された前記ボトルの前記肩部のうち、キャップが前記首部に装着された時に、キャップにより覆われる箇所である、
ことを特徴とする容器のボトルの製造方法。
【発明の詳細な説明】
【技術分野】
【０００１】
本発明は、主に化粧品用のキャップ付きの容器であって、キャップによりボトルの肩部の少なくとも一部が覆われている容器に関する。また、本発明は、主に化粧品用のキャップ付き容器のボトルの製造方法に関する。
【背景技術】
【０００２】
キャップによりボトルの肩部の少なくとも一部が覆われているキャップ付きの容器として以下の特許文献１がある。特許文献１の包装容器は、容器本体と、キャップと、からなる。容器本体は、胴部と、外ねじが形成され、注出口を構成する筒形状の側壁と、側壁の下端および胴部とを接続する肩部と、を備える。キャップは、外ねじと螺合する。特許文献１の包装容器は、キャップを外ねじに螺合した時に、側壁と肩部とがキャップにより覆われる。
【０００３】
また、キャップで覆われる口部外面に印刷が施されたキャップ付き容器として以下の特許文献２がある。特許文献２のキャップ付き容器は、キャップで覆われる口部外面に印刷を施したものである。特許文献２のキャップ付き容器は、ねじが形成された口部外面に施された印刷により、美観や情報提供性を向上させることができる。
【先行技術文献】
【特許文献】
【０００４】
【特許文献１】特開平２０１４−２４５６１号公報
【特許文献２】特許第４８２６１０８号公報
【発明の概要】
【発明が解決しようとする課題】
【０００５】
しかしながら、特許文献１の包装容器は、キャップにより覆われる肩部であって、容器の使用時において、注出口の上方からの視野の範囲内に入る肩部には印刷が施されていない。このため、特許文献１の包装容器は、使用時において、印刷による視覚的効果が得られ難い。
【０００６】
また、特許文献２のキャップ付き容器は、ねじが形成された口部外面に施された印刷により、美観や情報提供性を向上させることができるが、キャップによりボトル缶の縮径部の少なくとも一部が覆われているものではない。しかも、特許文献２のキャップ付き容器は、容器の使用時において、口部の上方からの視野の範囲内に入り難い口部外面に印刷を施すものであるから、使用時において、印刷による視覚的効果が得られ難い。
【０００７】
本発明が解決しようとする課題は、使用時において、印刷による視覚的効果が得られる容器、および、容器のボトルの製造方法を提供することにある。
【課題を解決するための手段】
【０００８】
本発明の容器は、ボトルと、キャップと、を備え、ボトルが、一端部に底部を有し、中に内容物が充填される胴部と、胴部の他端部に配置されていて、内容物が出る口を有し、キャップが着脱可能に装着される首部と、胴部と首部との間に配置されている肩部と、印刷部と、を有し、肩部の外側の壁面には、キャップが首部に装着された時に、キャップにより覆われる箇所があり、印刷部が、箇所に施されている、ことを特徴とする。
【０００９】
本発明の容器は、印刷部が、文字情報の印刷物である、ことが好ましい。
【００１０】
本発明の容器は、キャップが、光不透過性の部材からなる、ことが好ましい。
【００１１】
本発明の容器は、印刷部が、加飾の印刷物であり、キャップが、光透過性の部材からなる、ことが好ましい。
【００１２】
本発明の容器は、印刷部が、熱乾燥タイプのインキにより印刷されている、ことが好ましい。
【００１３】
本発明の容器は、胴部の外側の壁面、箇所以外の肩部の外側の壁面の少なくともいずれか一方には、箇所の印刷部と連動したデザインの印刷部が施されている、ことが好ましい。
【００１４】
本発明の容器は、肩部の壁面が、胴部の中心線、首部の中心線の少なくともいずれか一方に対して垂直である、ことが好ましい。
【００１５】
本発明の容器の製造方法は、第１工程と、第２工程と、第３工程と、を含む容器のボトルの製造方法であって、第１工程が、射出成型により、閉塞されている一端部と、開口されていて、キャップが着脱可能に装着される他端部と、を有するプリフォームを成型する、工程であり、第２工程が、プリフォームの他端部から一端部側の所定箇所の外側の壁面に印刷部を施す、工程であり、第３工程が、プリフォームを、延伸ブロー成型により、一端部に底部を有し、中に内容物が充填される胴部と、胴部の他端部に配置されていて、内容物が出る口を有し、キャップが着脱可能に装着される首部と、胴部と首部との間に配置されている肩部と、印刷部と、を有するボトルとして成型する、工程であり、第２工程におけるプリフォームの所定箇所が、第３工程により成型されたボトルの肩部のうち、キャップが首部に装着された時に、キャップにより覆われる箇所である、ことを特徴とする。
【発明の効果】
【００１６】
本発明は、使用時において、印刷による視覚的効果が得られる容器、および、容器のボトルの製造方法を提供することにある。
【図面の簡単な説明】
【００１７】
【図１】図１は、本発明に係る容器の実施形態１を示す説明図である。（Ａ）は、ボトルおよびキャップの平面説明図（（Ｂ）におけるＡ矢視図）である。（Ｂ）は、ボトルおよびキャップの正面説明図である。
【図２】図２は、キャップを外した状態を示す説明図である。（Ａ）は、ボトルの平面説明図（（Ｂ）におけるＡ矢視図）である。（Ｂ）は、ボトルおよびキャップの正面説明図である。
【図３】図３は、本発明に係る容器の実施形態２を示すボトルの正面説明図である。
【図４】図４は、本発明に係る容器の実施形態３を示す説明図である。（Ａ）は、ボトルおよびキャップの平面説明図（（Ｂ）におけるＡ矢視図）である。（Ｂ）は、ボトルおよびキャップの正面説明図である。
【図５】図５は、キャップを外した状態を示す説明図である。（Ａ）は、ボトルの平面説明図（（Ｂ）におけるＡ矢視図）である。（Ｂ）は、ボトルおよびキャップの正面説明図である。
【図６】図６は、本発明に係る容器の実施形態４を示すボトルの正面説明図である。
【図７】図７は、本発明に係る容器のボトルの製造方法の実施形態１、２を示す説明図である。（Ａ）は、射出成型されたプリフォーム（ボトルの半製品、ボトルの前駆体）を示す正面説明図である。（Ｂ）は、プリフォームに印刷部を施した状態を示す正面説明図である。（Ｃ）は、同じく、プリフォームに印刷部を施した状態を示す正面説明図である。
【発明を実施するための形態】
【００１８】
以下、本発明に係る容器の実施形態（実施例）の４例について、また、本発明に係る容器のボトルの製造方法の実施形態（実施例）の２例について、図面を参照しながら詳細に説明する。
【００１９】
（実施形態１に係る容器の構成の説明）
図１、図２は、本発明に係る容器の実施形態１を示す。以下、この実施形態１に係る容器の構成について説明する。この実施形態１に係る容器は、図１に示すように、ボトル１と、キャップ２と、を備える。この実施形態１に係る容器は、キャップ付きの容器である。この実施形態１に係る容器は、内容物が主に化粧品である化粧品用の容器である。化粧品としては、液状のものやクリーム状のものなどがある。
【００２０】
（ボトル１の説明）
ボトル１は、この例では、内容物の化粧品を充填するのに適した合成樹脂から構成されている。ボトル１は、図２（Ａ）、（Ｂ）に示すように、底部１０と、胴部１１と、首部１２と、肩部１３と、印刷部１４（図２（Ａ）中において、格子ハッチングが施されている部位を参照）と、を有する。ボトル１は、この例では、図７（Ｂ）に示すプリフォーム３を、延伸ブロー成型（２軸延伸ブロー成型）で、縦方向と横方向との２軸方向に延伸させることにより、成型される。
【００２１】
胴部１１は、この例では、中空の円筒形状をなし、一端部に底部１０を有する。胴部１１の一端部の開口部は、底部１０により閉塞されている。胴部１１の中には、内容物が充填される。胴部１１の平面視形状（上（図２（Ａ）における矢印Ａ）から見た形状）は、円形形状をなす。
【００２２】
首部１２は、胴部１１の他端部に配置されている。首部１２は、この例では、胴部１１よりも小径の中空の円筒形状をなす。首部１２は、内容物が出る円形形状の口１５を有する。すなわち、首部１２の内周面には、口１５が設けられている。首部１２には、キャップ２が着脱可能に装着される。すなわち、首部１２の外周面には、ねじ部１６が設けられている。
【００２３】
肩部１３は、胴部１１と首部１２との間に配置されている。肩部１３の壁面は、胴部１１の中心線Ｌ、首部１２の中心線Ｌの少なくともいずれか一方に対して垂直である。肩部１３は、容器の使用時において、首部１２（口１５）の上方からの視野の範囲内に入る。なお、この明細書および別紙の特許請求の範囲において、垂直は、成型誤差などにより、中心線Ｌに対して、若干の傾斜を含む。肩部１３の平面視形状は、円環形状をなす。
【００２４】
肩部１３の外側の壁面には、キャップ２が首部１２に装着された時に、キャップ２により覆われる箇所１７がある。箇所１７の平面視形状と肩部１３の平面視形状とは、同形状もしくはほぼ同形状の円環形状をなす。また、箇所１７の大きさ（面積）と肩部１３の大きさ（面積）とは、同等もしくはほぼ同等である。
【００２５】
箇所１７には、印刷部１４が施されている。印刷部１４の平面視形状と箇所１７の平面視形状とは、同形状もしくはほぼ同形状の円環形状をなす。また、印刷部１４の大きさ（面積）と箇所１７の大きさ（面積）とは、同等もしくはほぼ同等である。なお、印刷部１４の平面視形状は、円環形状以外の形状であっても良い。また、印刷部１４の大きさは、箇所１７の大きさよりも小さくても良い。
【００２６】
印刷部１４は、文字情報の印刷物、加飾の印刷物のうち少なくともいずれか一方である。文字情報としては、例えば、「すぐにキャップを閉めてください」「バージンシールを取ってください」「キャップの締め忘れにご注意ください」などであって、キャップ２の開封前に見せたくない内容の文字情報、あるいは、注意を喚起させる文字情報などである。また、加飾としては、色や模様などである。
【００２７】
印刷部１４は、熱乾燥タイプのインキにより印刷されている。印刷部１４のインキは、硬化時間が長く、しかも、ボトル１成型時（プリフォーム３を延伸ブロー成型により延伸させてボトル１を成型する時）に、ボトル１およびプリフォーム３の原材料が延伸拡大されるので、原材料が延伸拡大されても割れないタイプのインキを使用する。
【００２８】
（キャップ２の説明）
キャップ２は、光不透過性の部材、光透過性の部材、あるいは、半透明の部材からなる。ここで、キャップ２は、印刷部１４が文字情報などの印刷物すなわちキャップ２の開封前に隠しておきたい印刷物の場合、光不透過性の部材、あるいは、半透明の部材であることが好ましい。また、キャップ２は、印刷部１４が加飾などの印刷物の場合、光透過性の部材、あるいは、半透明の部材であることが好ましい。
【００２９】
キャップ２は、この例では、一端部（下部、底部）が開口し、他端部（上部、天部）が閉塞した中空の円筒形状をなす。キャップ２の内周面には、首部１２のねじ部１６に着脱可能にねじ込まれるねじ部（図示せず）が設けられている。キャップ２の外周面には、滑り止めのナーリング２０が設けられている。キャップ２の平面視形状は、胴部１１の円形形状と直径が同等もしくはほぼ同等の円形形状をなす。
【００３０】
（実施形態１に係る容器の使用例の説明）
この実施形態に係る容器は、以上のごとき構成からなり、以下、この実施形態に係る容器の使用例について説明する。
【００３１】
ボトル１の胴部１１中には、内容物（この例では、化粧品）が充填されている。ボトル１の首部１２には、キャップ２が着脱可能に装着されている。これにより、内容物は、ボトル１とキャップ２とを備える容器中に密封されている（図１（Ａ）、（Ｂ）を参照）。
【００３２】
使用時には、キャップ２をボトル１の首部１２から取り外す（図２（Ａ）、（Ｂ）を参照）。これにより、ボトル１の胴部１１中の内容物をボトル１の首部１２の口１５から外側に出して使用することができる。使用後には、キャップ２をボトル１の首部１２に着脱可能に装着することにより、内容物を密封することができる。
【００３３】
（実施形態１に係る容器の効果の説明）
この実施形態１に係る容器は、以上のごとき構成、作用からなり、以下、その効果について説明する。
【００３４】
この実施形態１に係る容器は、肩部１３の外側の壁面のうち、キャップ２が首部１２に装着された時に、キャップ２により覆われる箇所１７であって、容器の使用時において、首部１２（口１５）の上方からの視野の範囲内に入る箇所１７に、印刷部１４を、施したものである。この結果、この実施形態１に係る容器は、容器の使用時において、印刷部１４の印刷による視覚的効果が得られる。
【００３５】
また、この実施形態１に係る容器は、ボトル１の肩部１３の外側の壁面に印刷部１４を施したものである。このため、この実施形態１に係る容器は、ボトル１の首部１２のねじ部１６とキャップ２のねじ部とのねじ開閉時において、キャップ２（特に、キャップ２のねじ部）がボトル１の肩部１３の外側の壁面の印刷部１４に当たって、印刷部１４が擦れて薄くなりあるいは剥がれる可能性がない。
【００３６】
さらに、この実施形態１に係る容器は、ボトル１の肩部１３の外側の壁面の印刷部１４がキャップ２の開閉によって擦られて内容物に混入する可能性がないので、印刷部１４に特殊なインキを使用する必要が無い。例えば、内容物が飲料品などの場合であっても、印刷部１４に可食インキを使用する必要がない。
【００３７】
この実施形態１に係る容器は、容器の使用時において視覚的効果が得られる印刷部１４が文字情報の印刷物、たとえば、「すぐにキャップを閉めてください」「バージンシールを取ってください」「キャップの締め忘れにご注意ください」などの文字情報の印刷物である。この結果、この実施形態１に係る容器は、使用方法が分かり易く、使用し易く、使用勝手が良い。特に、内容物が主に化粧品の場合には、内容物の１度の使用量が少量であり、キャップ２の開け閉めの頻度が多くなるので、注意喚起の文字情報が役に立ち、内容物が主に化粧品の容器に適している。
【００３８】
その上、この実施形態１に係る容器は、容器全体のデザインを損なわないボトル１の肩部１３の箇所１７に、文字情報などの印刷部１４を施すものであるから、容器の商品価値が向上する。
【００３９】
この実施形態１に係る容器は、キャップ２が光不透過性の部材からなるものであるから、キャップ２の開封前に見せたくない内容の印刷部１４を覆い隠すことができ、容器の商品価値が向上する。なお、キャップ２の開封前に見せたくない内容の印刷部１４としては、たとえば、前記の注意を喚起させる文字情報などの印刷物である。
【００４０】
しかも、この実施形態１に係る容器は、使用時において、キャップ２をボトル１の首部１２から取り外すことにより、首部１２（口１５）の上方からの視野の範囲内に入るボトル１の肩部１３の箇所１７に施されている印刷部１４（文字情報の印刷物や加飾の印刷物）が目に入り、視覚的効果が得られる。
【００４１】
この実施形態１に係る容器は、印刷部１４が色や模様などの加飾の印刷物であり、かつ、キャップ２が光透過性の部材からなるものであるから、キャップ２により覆われているボトル１の肩部１３の箇所１７の印刷部１４の加飾がキャップ２に反映される。この結果、この実施形態１に係る容器は、使用時において、ボトル１の首部１２（口１５）の上方からの視野の範囲内に入るボトル１の肩部１３の箇所１７に施されている印刷部１４の加飾の印刷物がキャップ２に反映される状態が目に入り、視覚的効果が得られる。
【００４２】
これにより、この実施形態１に係る容器は、美観が向上され、内容物が主に化粧品の容器に適している。しかも、この実施形態１に係る容器は、特許文献１の包装容器のように、今まで印刷されていなかったボトル１の肩部１３の箇所１７に印刷部１４（加飾の印刷物）を施すことができ、視覚的効果が得られる。
【００４３】
この実施形態１に係る容器は、印刷部１４が熱乾燥タイプのインキにより印刷されているので、プリフォーム３に施された印刷部３１４を、ボトル１の印刷部１４として確実に再現することができる。すなわち、この実施形態１に係る容器は、文字情報の文字、加飾の模様の見切り線および加飾の色で何色でも、確実に再現することができるので、容器としての商品価値が向上される。
【００４４】
ここで、印刷部のインキとしてＵＶインキを使用した場合には、印刷面に割れやヒビなどが入り、所定の印刷部を有するボトルを製造することができない。これに対して、この実施形態１に係る容器は、印刷部１４のインキとして熱乾燥タイプのインキを使用するので、印刷部１４の印刷面に割れやヒビなどがなく、所定の印刷部１４を有するボトル１を製造することができる。
【００４５】
この実施形態１に係る容器は、ボトル１がプリフォーム３を延伸ブロー成型により成型されてなるものであるから、安価に製造することができる。しかも、この実施形態１に係る容器は、ボトル１の成型時の延伸ブロー成型機の熱を利用して、印刷部１４のインキであって熱乾燥タイプのインキを迅速にかつ効率良く硬化させることができる。
【００４６】
この実施形態１に係る容器は、胴部１１と首部１２との間に配置されている肩部１３の外側の壁面、すなわち、胴部１１の中心線Ｌ、首部１２の中心線Ｌの少なくともいずれか一方に対して垂直である単純な形状の壁面に印刷部１４を施すものであるから、印刷条件を低くすることができ、その結果、製造コストを安価にすることができる。
【００４７】
（実施形態２に係る容器の構成の説明）
図３は、本発明に係る容器の実施形態２を示す。以下、この実施形態２に係る容器について説明する。図中、図１、図２と同符号は、同一のものを示す。
【００４８】
前記の実施形態１に係る容器のボトル１において、肩部１３の外側の壁面に印刷部１４を施したものである。これに対して、この実施形態２に係る容器のボトル１Ａにおいて、胴部１１の外側の壁面に、肩部１３の外側の壁面の印刷部１４と連動したデザインの印刷部１８を施したものである。この印刷部１８は、胴部１１のうち肩部１３と連続する箇所に施すことが好ましい。
【００４９】
ボトル１Ａの胴部１１の中間部の外側の壁面に、肩部１３の印刷部１４と連動したデザイン、または、肩部１３の印刷部１４と別個のデザインの印刷部１９を、施す。
【００５０】
この実施形態２に係る容器は、以上のごとき構成からなるので、前記の実施形態１に係る容器と、ほぼ同様の作用効果を達成することができる。しかも、この実施形態２に係る容器は、ボトル１Ａの胴部１１に、肩部１３の印刷部１４と連動したデザインの印刷部１８を施したものであるから、ボトル１Ａの肩部１３の印刷部１４と胴部１１の印刷部１８とが連動したデザインを構成することができる。これにより、この実施形態２に係る容器は、幅広いデザインを構成することができるので、容器としての商品価値が向上される。
【００５１】
その上、この実施形態２に係る容器は、ボトル１Ａの胴部１１の中間部に、肩部１３の印刷部１４と連動したデザイン、または、別個のデザインの印刷部１９を、施すものであるから、さらに幅広いデザインを構成することができ、容器としての商品価値が向上される。
【００５２】
（実施形態３に係る容器の構成の説明）
図４、図５は、本発明に係る容器の実施形態３を示す。以下、この実施形態３に係る容器について説明する。図４、図５において、この実施形態３に係る容器の各部位であって、図１、図２の前記の実施形態１に係る容器の各部位に対応する各部位には、実施形態１に係る容器の各部位の符号の後に符号「Ｂ」が付されている。
【００５３】
前記の実施形態１、２に係る容器のボトル１、１Ａの胴部１１が中空の円筒形状をなすものである。これに対して、この実施形態３に係る容器のボトル１Ｂの胴部１１Ｂが中空の四角筒形状をなすものである。胴部１１Ｂの平面視形状が正方形形状をなす。
【００５４】
また、前記の実施形態１、２に係る容器のボトル１、１Ａの胴部１１の直径とキャップ２の直径とが同等もしくはほぼ同等の円形形状をなすものである。これに対して、この実施形態３に係る容器のボトル１Ｂの胴部１１Ｂの１辺がキャップ２Ｂの直径よりも長いものである。これにより、図５（Ａ）に示すように、ボトル１Ｂの肩部１３Ｂの面積は、キャップ２Ｂにより覆い隠される箇所１７Ｂよりも広い。
【００５５】
この実施形態３に係る容器は、以上のごとき構成からなるので、前記の実施形態１に係る容器と、ほぼ同様の作用効果を達成することができる。しかも、この実施形態３に係る容器は、ボトル１Ｂの肩部１３Ｂの面積がキャップ２Ｂにより覆われる箇所１７Ｂよりも広いので、キャップ２Ｂにより覆われる箇所１７Ｂ以外の肩部１３Ｂの外側の壁面に、印刷部１４Ｂのデザインと連動したデザイン、または、別個のデザインの印刷部を、施すことができる。これにより、この実施形態３に係る容器は、さらに広い範囲に視覚的効果が得られる。
【００５６】
この実施形態３に係る容器は、ボトル１Ｂの胴部１１Ｂの１辺がキャップ２Ｂの直径よりも長いものであるから、ボトル１Ｂ中に大量の内容物を充填する容器に適している。
【００５７】
（実施形態４に係る容器の構成の説明）
図６は、本発明に係る容器の実施形態４を示す。以下、この実施形態４に係る容器について説明する。図６において、この実施形態４に係る容器の各部位であって、図１、図２の前記の実施形態１に係る容器の各部位に対応する各部位には、実施形態１に係る容器の各部位の符号の後に符号「Ｃ」が付されている。
【００５８】
前記の実施形態１、２、３に係る容器のボトル１、１Ａ、１Ｂの肩部１３、１３Ｂの壁面は、胴部１１、１１Ｂの中心線Ｌ、ＬＢ、首部１２、１２Ｂの中心線Ｌ、ＬＢの少なくともいずれか一方に対して垂直である。これに対して、この実施形態４に係る容器のボトル１Ｃの肩部１３Ｃの壁面は、首部１２Ｃから胴部１１Ｃにかけて下り勾配をなすものである。すなわち、この実施形態４に係る容器のボトル１Ｃの肩部１３Ｃの壁面は、円錐台形形状をなす。
【００５９】
この実施形態４に係る容器のボトル１Ｃの肩部１３Ｃのうち、首部１２Ｃに装着されたキャップ（図示せず）により覆われる箇所１７Ｃは、肩部１３Ｃの全部分（図６中の下側の符号「１７Ｃ」を参照）であっても良いし、または、肩部１３Ｃの首部１２Ｃ寄りの一部分（図６中の上側の符号「１７Ｃ」を参照）であっても良い。
【００６０】
また、この実施形態４に係る容器のボトル１Ｃは、前記の実施形態２に係る容器のボトル１Ａと同様に、胴部１１Ｃの外側の壁面、キャップにより覆われている箇所１７Ｃ以外の肩部１３Ｃの外側の壁面のうち少なくともいずれか一方に肩部１３Ｃの外側の壁面の印刷部１４Ｃと連動したデザインの印刷部１８Ｃを施したものである。なお、キャップにより覆われる箇所１７Ｃが肩部１３Ｃの全部分の場合には、胴部１１Ｃの外側の壁面に印刷部１８Ｃを施すものである。一方、キャップにより覆われる箇所１７Ｃが肩部１３Ｃの一部分の場合には、キャップにより覆われている箇所１７Ｃ以外の肩部１３Ｃの外側の壁面に印刷部１８Ｃを施し、胴部１１Ｃの外側の壁面に印刷部１８Ｃを施しても良いし、施さなくても良い。
【００６１】
さらに、この実施形態４に係る容器のボトル１Ｃは、前記の実施形態２に係る容器のボトル１Ａと同様に、ボトル１Ｃの胴部１１Ｃ中間部の外側の壁面に、肩部１３Ｃの印刷部１４Ｃと連動したデザイン、または、肩部１３Ｃの印刷部１４Ｃと別個のデザインの印刷部１９Ｃを、施すものである。
【００６２】
さらにまた、この実施形態４に係る容器のボトル１Ｃの胴部１１Ｃは、前記の実施形態１、２に係る容器のボトル１、１Ａの胴部１１と同様に、中空状の円形形状をなすものであっても良いし、前記の実施形態３に係る容器のボトル１Ｂの胴部１１Ｂと同様に、中空の四角筒形状をなすものであっても良い。
【００６３】
この実施形態４に係る容器は、以上のごとき構成からなるので、前記の実施形態１、２、３に係る容器と、ほぼ同様の作用効果を達成することができる。しかも、この実施形態４に係る容器は、ボトル１Ｃの肩部１３Ｃの壁面が傾斜しているので、前記の実施形態１、２、３に係る容器と異なった視覚的効果が得られる。その上、この実施形態４に係る容器は、前記の実施形態３に係る容器と同様に、ボトル１Ｃ中に大量の内容物を充填する容器に適している。
【００６４】
（実施形態１に係る容器のボトルの製造方法の工程の説明）
以下、この実施形態１に係る容器のボトルの製造方法について、図７を参照しながら、詳細に説明する。この実施形態１に係る容器のボトルの製造方法は、下記の第１工程と、第２工程と、第３工程と、を備える。図７において、プリフォーム３の各部位であって、図１、図２の前記の実施形態１に係る容器のボトル１の各部位に対応する各部位には、ボトル１の各部位の符号の頭に符号「３」が付されている。
【００６５】
（第１工程の説明）
まず、第１工程は、射出成型によりプリフォーム３を成型する（図７（Ａ）を参照）。プリフォーム３の材料は、この例では、内容物の化粧品に適した合成樹脂から構成されている。プリフォーム３は、閉塞されている一端部と、開口されていて、キャップ２が着脱可能に装着される他端部と、を有する試験管形状をなす。
【００６６】
すなわち、プリフォーム３は、一端部の底部３１０を有する胴部３１１と、内容物が出る口を有し、キャップ２が着脱可能に装着される他端部の首部３１２と、を有する。首部３１２の内周面には、口が設けられていて、首部３１２の外周面には、ねじ部３１６が設けられている。
【００６７】
ここで、プリフォーム３の胴部３１１のうち、他端部の首部３１２から一端部の底部３１０側の所定箇所（以下、「肩部」と称する）３１３は、ボトル１の肩部１３を形成する。肩部３１３は、キャップ２がボトル１の首部１２に装着された時に、キャップ２により覆われる箇所（以下、単に「箇所」と称する）３１７を有する。肩部３１３と箇所３１７とは、プリフォーム３において同じ部位である。
【００６８】
なお、前記の実施形態３、４に係る容器のボトル１Ｂ、１Ｃの場合においては、肩部３１３の下位（底部３１０側の位置）は、箇所３１７の下位よりも下位に位置する。ここで、図７（Ａ）における符号３Ｌは、胴部３１１の中心線、首部３１２の中心線の少なくともいずれか一方である。
【００６９】
（第２工程の説明）
つぎに、第２工程は、プリフォーム３の肩部３１３の外側の壁面に印刷部３１４を施す（図７（Ｂ）を参照）。印刷部３１４は、肩部３１３の範囲よりも狭い範囲に施されている。すなわち、印刷部３１４の上位（首部３１２側の位置）は、肩部３１３の上位よりも下位に位置し、かつ、印刷部３１４の下位は、肩部３１３の下位よりも上位に位置する。
【００７０】
印刷部３１４は、前記の文字情報の印刷物、加飾の印刷物のうち少なくともいずれか一方である。また、印刷部３１４は、前記の通り、熱乾燥タイプのインキにより印刷されている。印刷部１４のインキは、硬化時間が長く、しかも、プリフォーム３を延伸ブロー成型により延伸させてボトル１を成型する時に、プリフォーム３の原材料が延伸拡大されるので、原材料が延伸拡大されても割れないタイプのインキを使用する。
【００７１】
（第３工程の説明）
それから、第３工程は、図７（Ｂ）に示すプリフォーム３を、延伸ブロー成型により、一端部に底部１０を有し、中に内容物が充填される胴部１１と、胴部１１の他端部に配置されていて、内容物が出る口１５を有し、キャップ２が着脱可能に装着される首部１２と、胴部１１と首部１２との間に配置されていて、壁面が胴部１１の中心線Ｌ１、首部１２の中心線Ｌ１の少なくともいずれか一方に対して垂直である肩部１３と、印刷部１４と、を有するボトル１として成型する。すなわち、第３工程において、前記の実施形態１に係る容器のボトル１を製造する。なお、この実施形態１に係る容器のボトルの製造方法は、前記の実施形態３に係る容器のボトル１Ｂをも製造することができる。
【００７２】
（実施形態１に係る容器のボトルの製造方法の効果の説明）
この実施形態１に係る容器のボトルの製造方法は、前記の第１工程と、第２工程と、第３工程と、を備えるものであり、以下、効果について説明する。
【００７３】
この実施形態１に係る容器のボトルの製造方法は、第２工程において、プリフォーム３の胴部３１１のうち、キャップ２がボトル１の首部１２に装着された時に、キャップ２により覆われる箇所３１７である肩部３１３の外側の壁面に、印刷部３１４を、施したものである。この結果、この実施形態１に係る容器のボトルの製造方法は、肩部１３の外側の壁面のうち、キャップ２が首部１２に装着された時に、キャップ２により覆われる箇所１７であって、容器の使用時において、首部１２（口１５）の上方からの視野の範囲内に入る箇所１７に、印刷部１４を、施したボトル１を製造することができる。すなわち、この実施形態１に係る容器のボトルの製造方法は、容器の使用時において、印刷部１４の印刷による視覚的効果が得られるボトル１を製造することができる。
【００７４】
また、この実施形態１に係る容器のボトルの製造方法は、プリフォーム３の肩部３１３の外側の壁面に印刷部３１４を施したものである。このため、この実施形態１に係る容器のボトルの製造方法は、首部１２のねじ部１６とキャップ２のねじ部とのねじ開閉時において、キャップ２（特に、キャップ２のねじ部）が肩部１３の外側の壁面の印刷部１４に当たって、印刷部１４が擦れて薄くなりあるいは剥がれる可能性がないボトル１を製造することができる。
【００７５】
さらに、この実施形態１に係る容器のボトルの製造方法は、プリフォーム３の肩部３１３の外側の壁面の印刷部３１４がキャップ２の開閉によって擦られて内容物に混入する可能性がないので、印刷部３１４に特殊なインキを使用する必要が無い。例えば、内容物が飲料品などの場合であっても、印刷部３１４に可食インキを使用する必要がないボトル１を製造することができる。
【００７６】
さらにまた、この実施形態１に係る容器のボトルの製造方法は、第１工程でプリフォーム３を射出成型し、第２工程でプリフォーム３に印刷部３１４を施し、第３工程で印刷部３１４を施したプリフォーム３を延伸ブローによりボトル１を成型するものである。この結果、この実施形態１に係る容器のボトルの製造方法は、シルク印刷が不可能なボトル１の肩部１３の外側の壁面に印刷部１４を印刷することができるので、商品価値が向上されるボトル１を製造することができる。
【００７７】
さらにまた、この実施形態１に係る容器のボトルの製造方法は、プリフォーム３を延伸ブロー成型してボトル１を製造するものであるから、ボトル１を安価に製造することができる。
【００７８】
この実施形態１に係る容器のボトルの製造方法は、第２工程における印刷部３１４が文字情報の印刷物、たとえば、「すぐにキャップを閉めてください」「バージンシールを取ってください」「キャップの締め忘れにご注意ください」などの文字情報の印刷物である。この結果、この実施形態１に係る容器のボトルの製造方法は、使用方法が分かり易く、使用し易く、使用勝手が良いボトル１を製造することができる。特に、内容物が主に化粧品の場合には、内容物の１度の使用量が少量であり、キャップの開け閉めの頻度が多くなるので、注意喚起の文字情報が役に立ち、内容物が主に化粧品の容器のボトル１に適している。
【００７９】
その上、この実施形態１に係る容器のボトルの製造方法は、プリフォーム３の肩部３１３であって、第３工程において成型されたボトル１の肩部１３のうち、器全体のデザインを損なわない箇所１７に、文字情報などの印刷部３１４を施すものである。この結果、この実施形態１に係る容器のボトルの製造方法は、容器の商品価値が向上するボトル１を製造することができる。
【００８０】
しかも、この実施形態１に係る容器のボトルの製造方法は、プリフォーム３の肩部３１３であって、第３工程において成型されたボトル１の肩部１３のうち、首部１２（口１５）の上方からの視野の範囲内に入る箇所１７に、文字情報の印刷部３１４を施すものである。この結果、この実施形態１に係る容器のボトルの製造方法は、使用時において、首部１２（口１５）の上方からの視野の範囲内に入るボトル１の肩部１３の箇所１７に施されている印刷部１４（文字情報の印刷物）が目に入り、視覚的効果が得られるボトル１を製造することができる。
【００８１】
この実施形態１に係る容器のボトルの製造方法は、プリフォーム３の肩部３１３であって、第３工程において成型されたボトル１の肩部１３のうち、首部１２（口１５）の上方からの視野の範囲内に入る箇所１７に、色や模様などの加飾の印刷部３１４を施すものである。この結果、この実施形態１に係る容器のボトルの製造方法は、使用時において、首部１２（口１５）の上方からの視野の範囲内に入るボトル１の肩部１３の箇所１７に施されている印刷部１４（色や模様などの加飾の印刷物）が目に入り、視覚的効果が得られるボトル１を製造することができる。
【００８２】
これにより、この実施形態１に係る容器のボトルの製造方法は、美観が向上され、内容物が主に化粧品の容器に適しているボトル１を製造することができる。しかも、この実施形態１に係る容器のボトルの製造方法は、特許文献１の包装容器のように、今まで印刷されていなかったボトル１の肩部１３の箇所１７に印刷部１４（加飾の印刷物）を施すことができ、視覚的効果が得られるボトル１を製造することができる。
【００８３】
この実施形態１に係る容器のボトルの製造方法は、第２工程において、プリフォーム３の印刷部３１４が熱乾燥タイプのインキにより印刷されているので、プリフォーム３の印刷部３１４を、ボトル１の印刷部１４として確実に再現することができる。すなわち、この実施形態１に係る容器のボトルの製造方法は、ボトル１の印刷部１４、すなわち、文字情報の文字、加飾の模様の見切り線および加飾の色で何色でも、確実に再現することができるので、容器としての商品価値が向上されるボトル１を製造することができる。
【００８４】
ここで、印刷部のインキとしてＵＶインキを使用した場合には、印刷面に割れやヒビなどが入り、所定の印刷部を有するボトルを製造することができない。これに対して、この実施形態１に係る容器のボトルの製造方法は、印刷部３１４のインキとして熱乾燥タイプのインキを使用するので、印刷部１４の印刷面に割れやヒビなどがなく、所定の印刷部１４を有するボトル１を製造することができる。
【００８５】
この実施形態１に係る容器のボトルの製造方法は、第３工程において、プリフォーム３からボトル１に成型する時に、延伸ブロー成型機の熱を利用する。この結果、この実施形態１に係る容器のボトルの製造方法は、プリフォーム３の印刷部３１４のインキであって熱乾燥タイプのインキを迅速にかつ効率良く硬化させることができるので、ボトル１を迅速にかつ安価に製造することができる。
【００８６】
この実施形態１に係る容器のボトルの製造方法は、第２工程において、プリフォーム３の他端部から一端部側の所定箇所の肩部３１３の外側の壁面、すなわち、第３工程において、プリフォーム３の延伸ブロー成型により成型されたボトル１の肩部１３の壁面が、胴部１１の中心線Ｌ、首部１２の中心線Ｌの少なくともいずれか一方に対して垂直である。この結果、この実施形態１に係る容器のボトルの製造方法は、第２工程において、プリフォーム３の他端部から一端部側の所定箇所の肩部３１３の外側の壁面、すなわち、第３工程により成型されたボトル１の肩部１３であって、単純な形状の壁面に印刷部３１４を施すものであるから、印刷条件を低くすることができ、その結果、ボトル１を安価に製造することができる。
【００８７】
（実施形態２に係る容器のボトルの製造方法の説明）
以下、この実施形態２に係る容器のボトルの製造方法について説明する。前記の実施形態１に係る容器のボトルの製造方法は、図７（Ｂ）に示すように、第２工程において、プリフォーム３の肩部３１３の外側の壁面に印刷部３１４を施すものである。これに対して、この実施形態２に係る容器のボトルの製造方法は、図７（Ｃ）に示すように、第２工程において、プリフォーム３の肩部３１３の外側の壁面に印刷部３１４を施すと共に、プリフォーム３の肩部３１３から底部３１０側の外側の壁面に、肩部３１３の印刷部３１４と連動したデザインの印刷部３１８を施すものである。
【００８８】
また、この実施形態２に係る容器のボトルの製造方法は、第２工程において、プリフォーム３の胴部３１１の中間部の外側の壁面に、肩部３１３の印刷部３１４と連動したデザイン、または、肩部３１３の印刷部３１４と別個のデザインの印刷部３１９を、施す。
【００８９】
さらに、この実施形態２に係る容器のボトルの製造方法は、第３工程において、前記の実施形態２に係る容器のボトル１Ａを製造する。なお、この実施形態２に係る容器のボトルの製造方法は、前記の実施形態４に係る容器のボトル１Ｃをも製造することができる。
【００９０】
この実施形態２に係る容器のボトルの製造方法は、前記の実施形態１に係る容器のボトルの製造方法の効果とほぼ同等の効果を達成することができる。
【００９１】
しかも、この実施形態２に係る容器のボトルの製造方法は、第２工程において、プリフォーム３の肩部３１３から底部３１０側の外側の壁面に、肩部３１３の印刷部３１４と連動したデザインの印刷部３１８を施すものであるから、ボトル１Ａの肩部１３の印刷部１４と胴部１１の印刷部１８とが連動したデザインを構成することができる。これにより、この実施形態２に係る容器のボトルの製造方法は、幅広いデザインを構成することができるので、容器としての商品価値が向上されるボトル１を製造することができる。
【００９２】
（実施形態以外の例の説明）
なお、前記の実施形態において、内容物が化粧品である。しかしながら、本発明においては、内容物として、化粧品以外のもの、例えば、飲料水などであっても良い。
【００９３】
なお、本発明は、前記の実施形態により限定されるものではない。
【符号の説明】
【００９４】
１、１Ａ、１Ｂ、１Ｃ…ボトル
１０、１０Ｂ、１０Ｃ…底部
１１、１１Ｂ、１１Ｃ…胴部
１２、１２Ｂ、１２Ｃ…首部
１３、１３Ｂ、１３Ｃ…肩部
１４、１４Ｂ、１４Ｃ…印刷部
１５、１５Ｂ…口
１６、１６Ｂ、１６Ｃ…ねじ部
１７、１７Ｂ、１７Ｃ…箇所
１８、１８Ｃ…印刷部
１９、１９Ｃ…印刷部
２、２Ｂ…キャップ
２０、２０Ｂ…ナーリング
３…プリフォーム
３１０…底部
３１１…胴部
３１２…首部
３１３…肩部
３１４…印刷部
３１６…ねじ部
３１７…箇所（キャップにより覆い隠される箇所）
３１８…印刷部
３１９…印刷部
Ｌ、ＬＢ、３Ｌ…中心線
【図１】
2019051966.tif 000003
【図２】
2019051966.tif 000004
【図３】
2019051966.tif 000005
【図４】
2019051966.tif 000006
【図５】
2019051966.tif 000007
【図６】
2019051966.tif 000008
【図７】
2019051966.tif 000009